(57)【要約】      （修正有）【課題】パレットを積み重ねる際に下段のパレットと、上段のパレットと、を簡便に位置決めすることができ、更に積み重ねた後のパレットにおけるずれ及び崩落を防止可能なメタルパレットを提供する。【解決手段】柱となる４本の支柱アングル３と、２本の支柱アングル３の上方部に接合されて天面長手方向の辺となる２本の天面長手梁７と、天面短手方向の辺となる２本の天面短手梁９と、２本の支柱アングル３の下方部に接合されて底面長手方向の辺となる２本の底面長手梁１１と、底面短手方向の辺となる２本の底面短手梁１３と、一方の端部が天面長手梁７に接合され、他方の端部が底面長手梁１１に接合された２本の中間柱５と、天面を除く５面に貼り付けられたエキスパンドメタル１９と、支柱アングル３の下方底部に接合され、内部に中空層を有し、下底の面が開口した四角錐台の固定脚２１と、から構成される。【選択図】図１
0003203731.tif 000002
【実用新案登録請求の範囲】
【請求項１】
柱となる４本の支柱アングルと、
２本の前記支柱アングルにおける上方部に接合されて天面長手方向の辺となる２本の天面長手梁と、
２本の前記支柱アングルにおける上方部に接合されて天面短手方向の辺となる２本の天面短手梁と、
２本の前記支柱アングルにおける下方部に接合されて底面長手方向の辺となる２本の底面長手梁と、
２本の前記支柱アングルにおける下方部に接合されて底面短手方向の辺となる２本の底面短手梁と、
一方の端部が前記天面長手梁に接合され、他方の端部が前記底面長手梁に接合された２本の中間柱と、
天面を除く５面に貼り付けられたエキスパンドメタルと、
前記支柱アングルの下方底部に接合され、内部に中空層を有し、下底の面が開口した四角錐台の固定脚と、を有すること、
を特徴とするメタルパレット。
【請求項２】
２本の前記底面長手梁における下面に接合された底面剛性梁と、
前記底面剛性梁及び２本の前記底面短手梁の中間部において、両端部が２本の前記底面長手梁に接合された２本の底面小梁と、を有すること、
を特徴とする請求項１に記載のメタルパレット。
【請求項３】
前記４本の支柱アングル側面に、直線部及び湾曲部から構成された吊り上げ用フックを有すること、
を特徴とする請求項１又は２に記載のメタルパレット。
【考案の詳細な説明】
【技術分野】
【０００１】
本考案は、建設に用いられる金物や資材を入れ、簡便かつ安全に積み重ねて整理及び保管を可能とするメタルパレットに関する。
【背景技術】
【０００２】
建築及び土木工事では、非常に多くの金物や資材が使用される。そのため、当該金物や資材を製造管理する企業及び工事現場では保管に用いるための広い面積が必要となる。従来では、木材又は金属を用いて形成された箱型のパレットに金物や資材を入れて詰め込み、当該パレットを平面的に整列させることで整理及び保管する手法が取られていた（例えば特許文献１参照）。
【０００３】
また、従来のパレットの一部においては、複数の同一パレットを垂直に積み重ねることで少ない面積により多くの金物や資材の整理及び保管を可能とするものがある。
【先行技術文献】
【特許文献】
【０００４】
【特許文献１】実開平６−４４９７０号公報
【考案の概要】
【考案が解決しようとする課題】
【０００５】
しかしながら、上記特許文献１において提案されているような従来のパレットでは、積み重ねる際に位置ずれを起こすケースがあり、正確に位置決めしつつ垂直に積み重ねることが困難である。また、積み重ねて保管している際に揺れや何らかの外的衝撃を受けた場合、上段に位置するパレットがずれて崩落してしまう恐れがあった。
【０００６】
そこで本考案は、上記問題に鑑みて創作されたものであり、パレットを積み重ねる際に下段のパレットと、上段のパレットと、を簡便に位置決めすることができ、更に積み重ねた後のパレットにおけるずれ及び崩落を防止可能なメタルパレット１を提供する。
【課題を解決するための手段】
【０００７】
上記の課題を解決すべく、本考案のメタルアングル１は、
柱となる４本の支柱アングル３と、
両端部が２本の前記支柱アングル３における上方部に接合されて天面長手方向の辺となる２本の天面長手梁７と、
両端部が２本の前記支柱アングル３における上方部に接合されて天面短手方向の辺となる２本の天面短手梁９と、
両端部が２本の前記支柱アングル３における下方部に接合されて底面長手方向の辺となる２本の底面長手梁１１と、
両端部が２本の前記支柱アングル３における下方部に接合されて底面短手方向の辺となる２本の底面短手梁１３と、
一方の端部が前記天面長手梁７に接合され、もう一方の端部が前記底面長手梁１１に接合された２本の中間柱５と、
天面を除く５面に貼り付けられたエキスパンドメタル１９と、
前記支柱アングル３の下方底部に接合され、内部に中空層を有し、下底の面が開口した四角錐台の固定脚２１と、から構成されること、
を特徴とするメタルパレット１を提供する。
【０００８】
このような構成を有する本考案においては、４本の支柱アングル３を柱として立方体を形成している。また、支柱アングル３の下方底部には四角錐台の固定脚２１が備えられているため、積み重ねる際には上段に位置するメタルパレット１の固定脚２１と、下段に位置するメタルパレット１の支柱アングル３と、を嵌合させて下段及び上段のメタルパレット１を固定することができる。更に具体的には、上段メタルパレット１０１Ｂが備える４つの上段固定脚１２１における下底の開口を、下段メタルパレット１０１Ａが備える４本の下段支柱アングル１０３それぞれの上端に被せ、当該下段支柱アングル１０３の上方天面が上段固定脚１２１の上底における中空層側の面に当接させることで上段固定脚１２１の中空層内に下段支柱アングル１０３の上端が固定され、下段支柱アングル１０３と、上段固定脚１２１と、が強固に嵌合される。これにより、下段メタルパレット１０１Ａと、上段メタルパレット１０１Ｂと、を積み重ねる際は簡便な位置決めが可能で、積み重ねた後も、上段メタルパレット１０１Ｂがずれ及び崩落することを防止できる。
【０００９】
また、上記のような構成を有する本考案のメタルパレット１においては、
両端部が２本の前記底面長手梁１１における下面に接合された底面剛性梁１５と、
前記底面剛性梁１５及び２本の前記底面短手梁１３の中間部において、両端部が２本の前記底面長手梁１１に接合された２本の底面小梁１７と、
を有することが好ましい。
【００１０】
メタルパレット１は大量の金物や資材を入れて使用するため、底部を構成する底面長手梁１１には特に高い負荷が掛かり、当該底面長手梁１１にたわみや変形が発生する恐れがある。このため、本考案においては、２本の底面長手梁１１を繋ぐ底面剛性梁１５と、２本の底面小針１７と、が備えられており、メタルパレット１の底部補強及び剛性を向上することができる。
【００１１】
更に、上記のような構成を有する本考案のメタルパレット１においては、
前記４本の支柱アングル３側面に、直線部３１Ａ及び湾曲部３１Ｂから構成された吊り上げ用フック３１を有することが好ましい。
【００１２】
このような構成を有する本考案においては、吊り上げ用フック３１に建設工事等で用いられるクレーン又はワイヤを引掛けてメタルパレット１本体を吊り上げることができる。
【図面の簡単な説明】
【００１３】
【図１】本考案のメタルパレット１の概要を示す斜視図である。
【図２】本考案のメタルパレット１を積み重ねる方法を説明する図であり、図２（ａ）は、図１における固定脚２１の一部を断面視し、メタルパレット１を積み重ねる際における支柱アングル３と、固定脚２１と、の嵌合方法を示した部分断面図であり、図２（ｂ）は、メタルパレット１を積み重ねた状態を示した斜視図である。
【図３】本考案のメタルパレット１の一例の写真である。
【考案を実施するための形態】
【００１４】
以下、本考案のメタルパレット１に係る代表的な実施形態を、図１〜図２を参照しながら詳細に説明するが、本考案は図示されるものに限られないことはいうまでもない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１５】
図１を用いて本考案のメタルパレット１における詳細について説明する。図１は、本考案におけるメタルパレット１の概要を示す斜視図である。本考案のメタルパレット１は、建設現場で行われる型枠工事等に用いられる金物及び資材を入れて整理、保管、又は運搬に使用するための金属製パレットであり、当該メタルパレット１は積み重ね可能な構造を有していることから、複数のメタルパレット１を積み重ねて設置することができる。
【００１６】
本考案のメタルパレット１は概ね、メタルパレット１の４隅に配された支柱アングル３と、メタルパレット１長手方向側面の中間位置において縦向きに配された中間柱５と、メタルパレット１天面の長手方向に配された天面長手梁７と、メタルパレット１天面の短手方向に配された天面短手梁９と、メタルパレット１底面の長手方向に配された底面長手梁１１と、メタルパレット１底面の短手方向に配された底面短手梁１３と、メタルパレット１底面において２本の底面長手梁１１の中間点を結んだ底面剛性梁１５と、メタルパレット１底面において底面短手梁１３及び底面剛性梁１５の間に配された底面子梁１７と、メタルパレット１における天面を除く５面に貼り付けられたエキスパンドメタル１９と、４本の支柱アングル３それぞれの底部に配された固定脚２１と、４本の支柱アングル３それぞれの側面下部（メタルパレット１における短手方向）に配された吊り上げ用フック３１と、から構成されている。
【００１７】
メタルパレット１の４隅に配された４本の支柱アングル３は、メタルパレット１全体の荷重を分配して支えるＬ字形状のアングルであって、当該支柱アングル３には天面長手梁７と、天面短手梁９と、底面長手梁１１と、底面短手梁１３と、が接合されている。
【００１８】
中間柱５は、天面長手梁７及び底面長手梁１１のたわみを防止し、メタルパレット１側面の長手方向における剛性を向上するための平鋼であって、当該中間柱５におけるそれぞれの端部は天面長手梁７の中間点と、底面長手梁１１の中間点と、に接合されている。
【００１９】
天面長手梁７は、メタルパレット１天面の長手方向における２辺となるＬ字形状のアングルであって、当該天面長手梁７におけるそれぞれの端部は支柱アングル３上方部に接合されている。天面短手梁９は、メタルパレット１天面の短手方向における２辺となるＬ字形状のアングルであって、当該天面短手梁９におけるそれぞれの端部は支柱アングル３上方部に接合されている。尚、天面長手梁７及び天面短手梁９は、同一の高さに配置されている。
【００２０】
底面長手梁１１は、メタルパレット１底面の長手方向における２辺となるＬ字形状のアングルであって、当該底面長手梁１１におけるそれぞれの端部は支柱アングル３下方部に接合されている。底面短手梁１３は、メタルパレット１底面の短手方向における２辺となるＬ字形状のアングルであって、当該底面短手梁１３におけるそれぞれの端部は支柱アングル３下方部に接合されている。尚、底面長手梁１１及び底面短手梁１３は、同一の高さに配置されている。
【００２１】
底面剛性梁１５は、メタルパレット１底面の長手方向における中間に位置して底面長手梁１１のたわみを防止しつつメタルパレット１底面全体の剛性を向上するための四角鋼であって、当該底面剛性梁１５におけるそれぞれの端部は、底面長手梁１１の下面における中間点に接合されている。底面小梁１７は、メタルパレット１底面において底面短手梁１１と、底面剛性梁１５と、の間に位置してメタルパレット１底面の強度を補助し、底面剛性梁１５と共にメタルパレット１底面全体の剛性を向上するための平鋼である。また、当該底面小梁１７におけるそれぞれの両端は、底面長手梁１１に接合されている。
【００２２】
尚、上述した底面剛性梁１５及び底面小梁１７は、メタルパレット１底面に貼り付けられたエキスパンドメタル１９を支える役割も兼ねている。
【００２３】
エキスパンドメタル１９は、千鳥状に切り目を入れつつ広げ、当該切れ目を菱形又は亀甲状に成型したメッシュ状の鋼板であり、メタルパレット１の天面を除く５面に貼り付けられている。当該エキスパンドメタル１９により、メタルパレット１内部に入れた金物又は資材を受け止める。なお、図面においてはエキスパンドメタル１９のメッシュ構造は省略して示している。
【００２４】
固定脚２１は、内部に中空層を有する四角錐台の脚であり、当該固定脚２１における上底の面は支柱アングル３の下方底部に接合されている。尚、固定脚２１における下底は開口となっており、内部の中空層に連通する特徴を有する。
【００２５】
吊り上げ用フック３１は、直線部３１Ａと、一方の端部のみ曲げ加工が施された湾曲部３１Ｂと、で構成された丸鋼であって、湾曲部３１Ｂを上方かつメタルパレット１における短手方向側面の外側に向けた状態で直線部３１Ａを支柱アングル３下方部側面に接合している。なお、当該吊り上げ用フック３１は、４本の支柱アングル３にそれぞれ配されており、建設工事等に用いられるクレーン又はワイヤを引掛けてメタルパレット１本体を吊り上げることが可能である。
【００２６】
次に、図２（ａ）及び（ｂ）を用いて本考案のメタルパレット１を積み重ねる方法について説明する。図２（ａ）及び（ｂ）は、本考案のメタルパレット１を積み重ねる方法を説明する図であり、図２（ａ）は、図１における固定脚２１の一部を断面視し、メタルパレット１を積み重ねる際における支柱アングル３と、固定脚２１と、の嵌合方法を示した部分断面図であり、図２（ｂ）は、メタルパレット１を積み重ねた状態を示した斜視図である。
【００２７】
本考案のメタルパレット１は、複数のメタルパレット１を縦方向に積み重ねることが可能である。建設工事等に用いられるクレーン又はワイヤを吊り上げ用フック３１に引掛けて吊り上げる、又はメタルパレット１の底面にリフタの腕を挿入して持ち上げることでメタルパレット１を積み重ねることとなるが、支柱アングル３と、固定脚２１と、を嵌合させることによってメタルパレット１を安全に積み重ねることが可能となり、位置ずれ及び崩落を防止することができる。
【００２８】
以下、図２による説明において、２つのメタルパレット１を用いるが、下段に配置するものを下段メタルパレット１０１Ａ、上段に配置するものを上段メタルパレット１０１Ｂとして記述する。まず、上段メタルパレット１０１Ｂを持ち上げ、下段メタルパレット１０１Ａにおける下段支柱アングル１０３の上端より上段メタルパレット１０１Ｂにおける上段固定脚１２１の下底の面を高い位置にする。
【００２９】
次に、持ち上げた上段メタルパレット１０１Ｂを下段メタルパレット１０１Ａの直上に位置する様に移動させ、クレーン又はワイヤを用いて吊り上げている場合は揺れを抑えたうえで４つの上段固定脚１２１における下底の開口を、４本の下段支柱アングル１０３それぞれの上端に被せつつ徐々に降下させる。
【００３０】
この時、図２（ａ）に示すように、下段支柱アングル１０３の上方天面を上段固定脚１２１の下底の開口から内部の中空層へ挿入し、上底における中空層側の面に当接させる。これにより、上段固定脚１２１の中空層内に下段支柱アングル１０３の上端が固定され、下段支柱アングル１０３と、上段固定脚１２１と、が強固に嵌合される。
【００３１】
また、上述の方法で下段メタルパレット１０１Ａと、上段メタルパレット１０１Ｂと、を積み重ねることで、図２（ｂ）に示すように容易に位置決めしつつ双方を垂直に積み重ねることができる。
【００３２】
上記では、下段メタルパレット１０１Ａ及び上段メタルパレット１０１Ｂの２つを用いて積み重ね方法について説明したが、本考案のメタルパレット１は、設置面の状態及び設置現場の環境により更に複数のメタルパレット１を積み重ねることが可能である。これにより、複数のメタルパレット１を簡便かつ安全に整理可能で、メタルパレット１の配置に必要な面積を効果的に極少化することができる。
【００３３】
ここで、図３に、本考案のメタルパレット（鉄製）の一例を示す。これについて耐荷重試験を行った。即ち、メタルパレットを水平な床面に置き、内部に均等に合計１トンの重りを載荷した状態で、メタルパレットの４本の支柱アングルの上端にそれぞれフックを設け、これらのフックを使い吊り上げて１時間放置したところ、メタルパレットには何ら異状は見受けられなかった。
【００３４】
以上、本考案の実施形態について図面を参照しつつ説明してきたが、本考案は、これらの実施形態に限定されるものではなく、特許請求の範囲の記載の精神及び教示を逸脱しない範囲でその他の改良例、変形が存在することを当業者に容易に理解されるであろう。
【産業上の利用可能性】
【００３５】
本考案のメタルパレット１は、複数のメタルパレット１を積み重ねることが可能であり、支柱アングル３の上端を固定脚２１の下底における開口から内部の中空層に挿入して嵌合させることで、積み重ね時の容易な位置決め及び積み重ね後の崩落を防止することができるものである。
【符号の説明】
【００３６】
１        メタルパレット
３        支柱アングル
５        中間柱
７        天面長手梁
９        天面短手梁
１１      底面長手梁
１３      底面短手梁
１５      底面剛性梁
１７      底面子梁
１９      エキスパンドメタル
２１      固定脚
３１      吊り上げ用フック
３１Ａ    直線部
３１Ｂ    湾曲部
１０１Ａ  下段メタルパレット
１０１Ｂ  上段メタルパレット
１０３    下段支柱アングル
１２１    上段固定脚
【図１】
0003203731.tif 000003
【図２】
0003203731.tif 000004
【図３】
0003203731.tif 000005